(57)【特許請求の範囲】
【請求項１】
複数のラベル交換網を相互接続するネットワークシステムが各ラベル交換網に対して内部の構造を隠蔽し、
かつ各ラベル交換網によりネットワークシステム全体が仮想的に単一のラベル交換装置として認識され、制御されるように構成することを特徴としたラベル交換網間接続方式。
【請求項２】
請求項１に記載のラベル交換網間接続方式において、
前記ネットワークシステムは、該ネットワークシステム内のラベル分配制御を集中制御するラベル分配処理部と、ラベル付きパケットの転送処理を制御するデータ送受信部とを有し、ラベル分配制御処理とパケット転送制御処理とを分離して、それぞれ別個に処理することを特徴とするラベル交換網間接続方式。
【請求項３】
請求項２に記載のラベル交換網間接続方式において、
前記データ送受信部は、一つのネットワークシステム内でユーザグループ固有の識別子によってグループ毎にパケット配送を論理的に分離するデータ送受信処理手段を有することを特徴とするラベル交換網間接続方式。
【請求項４】
複数のラベル交換網を相互に接続し、動的にラベル分配プロトコルを用いてラベル分配情報をラベル交換網間で交換し、設定するラベル網間接続方式であって、
一つのネットワークシステム内でグループ毎にラベル分配プロトコルの処理を論理的に分離するラベル分配処理手段を有することを特徴とするラベル交換網間接続方式。
【請求項５】
請求項４に記載のラベル交換網間接続方式において、
前記ラベル分配処理手段は、同種を含む複数のラベル分配プロトコルの処理をグループ毎に論理的に分離し、ユーザグループ固有の識別子によって処理を振り分ける手段を有し、ラベル分配処理を一つのネットワークシステムで取り扱うことを特徴とするラベル交換網間接続方式。
【請求項６】
請求項３に記載のラベル交換網間接続方式において、
前記データ送受信処理手段は、ラベル分配プロトコル処理により得られるグループ毎のラベル転送処理情報に基づいてパケット転送処理を行うことで、ラベル転送処理情報の相互干渉なしにパケット転送を行うことを特徴とするラベル交換網間接続方式。
【請求項７】
請求項１ないし６のいずれかに記載のラベル交換網間接続方式において、
前記各手段に加えて、ネットワークシステム内のネットワーク資源を集中管理し、ラベル交換網からラベル分配プロトコルによってネットワークシステムに要求された資源の割り当て許可を行うネットワーク資源管理手段を有し、
ある特定の転送条件に従ってラベル交換網間のパケット転送を行うことを特徴としたラベル交換網間接続方式。
【請求項８】
請求項１ないし７のいずれかに記載のラベル交換網間接続方式において、
前記各手段に加えて、さらに、ネットワークシステム内のユーザーグループごとに異なる、それぞれ独立のネットワーク管理ポリシーを集中管理するネットワークポリシー管理手段を有し、ラベル交換網からラベル分配プロトコルによってネットワークシステムに要求された資源の割り当て許可を行う場合に、該資源の割り当て許可がネットワークの管理ポリシーに従って行われることを特徴とするラベル交換網間接続方式。
【請求項９】
ラベル交換網間のパケットを、一つのネットワークシステム内でユーザーグループ固有の識別子によってグループごとに論理的に分離して転送するデータ送受信部と、該データ送受信部で受け取ったパケットを添付された識別子によりグループごとに区別し、ラベルの分配プロトコルを用いたラベル分配情報の処理を集中的に行うラベル分配処理部と、該データ送受信部で受け取ったパケットがラベル交換パス設定要求パケットで、かつ要求されたラベル交換パスが特定の転送条件を要求している場合、該転送条件をネットワークシステムが満たせるか否かを判断し、判断結果を上記ラベル分配処理部に伝達すること、
およびネットワーク資源の予約をすることを含めてネットワーク資源を集中管理するネットワーク資源管理部と、上記ラベル交換パスの転送条件をラベル交換網間の接続契約が満たせるか否かを判断し、判断結果を上記ラベル分配処理部に伝達することを含めてネットワークの管理ポリシーを集中管理するネットワークポリシー管理部とを具備したことを特徴とするラベル交換網間を接続するネットワークシステム。
【発明の詳細な説明】
【０００１】
【発明の属する技術分野】
本発明は、複数のラベル交換網を相互に接続する網間接続方式およびそのネットワークシステムに関し、特に一つのネットワークシステムで、複数のグループに属する複数のラベル交換網を相互に接続し、グループ間での相互干渉なしに、接続するラベル交換網間でラベル交換パスを設定可能とし、ラベル網間の接続を可能にするラベル交換網間接続方式およびそのネットワークシステムに関する。
【０００２】
【従来の技術】
従来、ラベル交換網間の接続方式としては、三つの方式が考えられる。
その一つは、専用線（ＡＴＭを含む）による接続方式であり、もう一つはＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）網による接続方式であり、最後の一つはラベル交換網による接続方式である。
（専用線による接続方式）
図３は、従来における専用線を用いたラベル交換網の接続例を示す図である。図３では、専用線１を用いてラベル交換網３，４，５，６を、また専用線２を用いてラベル交換網７，８をそれぞれ接続する。詳しくは、専用線１ａを用いてラベル交換網３のラベル交換装置９とラベル交換網５のラベル交換装置１１を、専用線１ｂを用いてラベル交換網３のラベル交換装置９とラベル交換網６のラベル交換装置１２を、専用線１ｃを用いてラベル交換網３のラベル交換装置９とラベル交換網４のラベル交換装置１０を、専用線１ｄを用いてラベル交換網５のラベル交換装置１１とラベル交換網６のラベル交換装置１２を、専用線１ｅを用いてラベル交換網４のラベル交換装置１０とラベル交換網５のラベル交換装置１１を、また専用線１ｆを用いてラベル交換網４のラベル交換装置１０とラベル交換網６のラベル交換装置１２を、さらに専用線２を用いてラベル交換網７のラベル交換装置１３とラベル交換網８のラベル交換装置１４を接続する。
【０００３】
この場合、ラベル交換網３，４，５，６はグループ１７を、またラベル交換網７，８はグループ１８をそれぞれ収容する。グループ１７とグループ１８は、それぞれ閉域網である。そして、各グループ内で各ラベル交換網間にラベル交換パスを設定することが可能である。ラベル交換パス１５は、グループ１７内のラベル交換網４とラベル交換網５間のラベル交換パスである。また、ラベル交換パス１６は、グループ１８内のラベル交換網７とラベル交換網８間のラベル交換パスである。
このように、ラベル交換網を専用線で接続する方式では、接続するラベル交換網の全ての対地間毎にフルメッシュ型の接続で専用線を設定する必要があり、網構築の柔軟性および簡便性に欠けている。
【０００４】
（ＩＰ−ＶＰＮ網による接続）
図４は、従来におけるＩＰ−ＶＰＮ網を用いたラベル交換網の接続例を示す図である。
図４では、ラベル交換網２０のラベル交換装置２６と、ラベル交換網２１のラベル交換装置２７と、ラベル交換網２２のラベル交換装置２８と、ラベル交換網２３のラベル交換装置２９と、ラベル交換網２４のラベル交換装置３０と、ラベル交換網２５のラベル交換装置３１とが、いずれもＩＰ−ＶＰＮ網と接続されている。
【０００５】
ラベル交換網２０，２１，２２，２３はグループ３６を、ラベル交換網２４，２５はグループ３７を、それぞれ収容する。グループ３６およびグループ３７は、それぞれ閉域網である。この場合、ＩＰ−ＶＰＮ網がラベル交換パスを中継する機能を持たないため、各ラベル交換網間でラベル交換パスは設定不可能であり、従ってラベル交換パスは各ラベル交換網内に閉じた形でのみ設定可能である。ここで、ラベル交換パス３２はラベル交換網２１内の、ラベル交換パス３３はラベル交換網２２内の、またラベル交換パス３４はラベル交換網２４内の、さらにラベル交換パス３５はラベル交換網２５内のそれぞれラベル交換パスである。このように、ＩＰ−ＶＰＮ網によるラベル交換網間の接続方式では、ＩＰ−ＶＰＮ網がラベル交換パスを中継する機能を持たないため、ＩＰ−ＶＰＮ網を介してラベル交換網間でラベル交換パスを設定することができない。
【０００６】
（ラベル交換網による接続）
図５は、従来におけるラベル交換網を用いたラベル交換網の接続例を示す図である。
図５では、ラベル交換網４０のラベル交換装置４６と、ラベル交換網４１のラベル交換装置４７と、ラベル交換網４２のラベル交換装置４８と、ラベル交換網４３のラベル交換装置４９とが、ラベル交換網３８を介して接続され、またラベル交換網４４のラベル交換装置５０とラベル交換網４５のラベル交換装置５１とが、ラベル交換網３９を介して接続されている。
ラベル交換網３８，３９は、接続するラベル交換網のグループ５４および５５内で閉域性を保つ機能を持たないため、ラベル交換網３８と３９は独立の網である必要がある。
【０００７】
この場合、各グループ５４，５５内で各ラベル交換網間にラベル交換パスを設定することが可能である。ラベル交換パス５２は、グループ５４内のラベル交換網４１とラベル交換網４２間のラベル交換パスであり、またラベル交換パス５３は、グループ５５内のラベル交換網４４とラベル交換網４５間のラベル交換パスである。
このように、ラベル交換網によるラベル交換網間の接続方式では、ラベル交換網がグループ毎に閉域性を保つ機能を持たないため、グループ間での相互干渉なしに他のグループと共用することができない。
【０００８】
【発明が解決しようとする課題】
前述のように、従来、考えられるラベル交換網間接続方式のうち、１）ラベル交換網を専用線で接続する方式では、接続するラベル交換網の全ての対地間毎にフルメッシュ型の接続で専用線を設定する必要があり、網構築の柔軟性および簡便性に欠ける、という問題点がある。
また、２）ＩＰ−ＶＰＮ網によるラベル交換網間の接続方式では、ＩＰ−ＶＰＮ網がラベル交換パスを中継する機能を持たないため、ＩＰ−ＶＰＮ網を介してラベル交換網間でラベル交換パスを設定することができない、という問題点がある。
また、３）ラベル交換網によるラベル交換網間の接続方式では、ラベル交換網がグループ毎に閉域性を保つ機能を持たないため、グループ間での相互干渉なしに他のグループと共用することができない、という問題点がある。
【０００９】
そこで、本発明の目的は、これら従来の課題を解決し、一つの網で複数のグループに属する複数のラベル交換網を相互に接続し、グループ間での相互干渉なしに、接続するラベル交換網間でラベル交換パスを設定可能とし、かつ接続する網を頂点とするスター型のラベル網間の接続が可能なラベル交換網間接続方式およびそのネットワークシステムを提供することにある。
【００１０】
【課題を解決するための手段】
上記目的を達成するため、本発明のラベル交換網間接続方式は、(1)複数のラベル交換網を相互接続するネットワークシステムが各ラベル交換網に対して内部の構造を隠蔽し、
かつ各ラベル交換網によりネットワークシステム全体が仮想的に単一のラベル交換装置として認識され、制御されるように構成することを特徴としている（請求項１）。
また、(2)前記ネットワークシステムは、該ネットワークシステム内のラベル分配制御を集中制御するラベル分配処理部と、ラベル付きパケットの転送処理を制御するデータ送受信部とを有し、ラベル分配制御処理とパケット転送制御処理とを分離して、それぞれ別個に処理することを特徴としている(請求項２）。
また、(3)前記データ送受信部は、一つのネットワークシステム内でユーザグループ固有の識別子によってグループ毎にパケット配送を論理的に分離するデータ送受信処理手段を有することを特徴としている（請求項３）。
【００１１】
また、(4)複数のラベル交換網を相互に接続し、動的にラベル分配プロトコルを用いてラベル分配情報をラベル交換網間で交換し、設定するラベル網間接続方式であって、
一つのネットワークシステム内でグループ毎にラベル分配プロトコルの処理を論理的に分離するラベル分配処理手段を有することを特徴としている（請求項４）。
また、(5)前記ラベル分配処理手段は、同種を含む複数のラベル分配プロトコルの処理をグループ毎に論理的に分離し、ユーザグループ固有の識別子によって処理を振り分ける手段を有し、ラベル分配処理を一つのネットワークシステムで取り扱うことを特徴としている（請求項５）。
また、(6)前記データ送受信処理手段は、ラベル分配プロトコル処理により得られるグループ毎のラベル転送処理情報に基づいてパケット転送処理を行うことで、ラベル転送処理情報の相互干渉なしにパケット転送を行うことを特徴としている（請求項６）。
【００１２】
また、(7)前記各手段に加えて、ネットワークシステム内のネットワーク資源を集中管理し、ラベル交換網からラベル分配プロトコルによってネットワークシステムに要求された資源の割り当て許可を行うネットワーク資源管理手段を有し、ある特定の転送条件に従ってラベル交換網間のパケット転送を行うことを特徴としている（請求項７）。
さらに、(8)前記各手段に加えて、ネットワークシステム内のユーザーグループごとに異なる、それぞれ独立のネットワーク管理ポリシーを集中管理するネットワークポリシー管理手段を有し、ラベル交換網からラベル分配プロトコルによってネットワークシステムに要求された資源の割り当て許可を行う場合に、該資源の割り当て許可がネットワークの管理ポリシーに従って行われることを特徴としている（請求項８）。
さらに、(9)ラベル交換網間のパケットを、一つのネットワークシステム内でユーザーグループ固有の識別子によってグループごとに論理的に分離して転送するデータ送受信部と、該データ送受信部で受け取ったパケットを添付された識別子によりグループごとに区別し、ラベルの分配プロトコルを用いたラベル分配情報の処理を集中的に行うラベル分配処理部と、該データ送受信部で受け取ったパケットがラベル交換パス設定要求パケットで、かつ要求されたラベル交換パスが特定の転送条件を要求している場合、該転送条件をネットワークシステムが満たせるか否かを判断し、判断結果を上記ラベル分配処理部に伝達すること、およびネットワーク資源の予約をすることを含めてネットワーク資源を集中管理するネットワーク資源管理部と、上記ラベル交換パスの転送条件をラベル交換網間の接続契約が満たせるか否かを判断し、判断結果を上記ラベル分配処理部に伝達することを含めてネットワークの管理ポリシーを集中管理するネットワークポリシー管理部とを具備したことを特徴としている（請求項９）。
【００１３】
【発明の実施の形態】
以下、本発明の実施例を、図面により詳細に説明する。
（ネットワークシステム）
図１は、本発明の一実施例を示す網間接続を行うネットワークシステムの構成図である。
本発明のネットワークシステム５６は、複数のデータ送受信部７４Ａ，７４Ｂ，７４Ｃ、ネットワーク資源管理部７５、ラベル分配処理部７６、ネットワークポリシー管理部７７を備える。データ送受信部７４は、ラベル転送処理情報表７８およびグループ情報表７３をそれぞれ備えている。ラベル転送処理情報表７８は、それぞれグループ毎に表７８Ａ，７８Ｂ，・・が設けられている。
【００１４】
（網間接続方法）
図２は、本発明の一実施例を示すラベル交換網間接続方式の構成図である。
図２においては、ラベル交換網５７のラベル交換装置６３と、ラベル交換網５８のラベル交換装置６４と、ラベル交換網５９のラベル交換装置６５と、ラベル交換網６０のラベル交換装置６６と、ラベル交換網６１のラベル交換装置６７と、ラベル交換網６２のラベル交換装置６８とが、ネットワークシステム５６に接続している。ここで、ラベル交換網５７，５８，５９，６０はグループ７１を、ラベル交換網６１，６２はグループ７２を、それぞれ収容する。
グループ１内のラベル交換網５８とネットワークシステム５６とラベル交換網６５を経由する破線は、ラベル交換パス６９である。また、グループ２内のラベル交換網６２とネットワークシステム５６とラベル交換網６１を経由する破線は、ラベル交換パス７０である。
【００１５】
ネットワークシステム５６は、図１に示すような構成を有している。ネットワークシステム５６は、転送すべきパケットとラベル分配プロトコルに関するパケットとをデータ送受信部７４においてチェックしている。ネットワークシステム５６に宛てられたラベル分配プロトコルに関するパケットを受信すると、データ送受信部７４は、保持しているグループ情報表７３からそれが属するグループを示す識別子を読み出し、これを添付してラベル分配処理部７６にそのパケットを転送する。グループ情報表７３は、パケット送信元のホストまたはネットワークと、グループを示す識別子とを関係付けるための表である。
【００１６】
（ラベル分配処理部）
ラベル分配処理部７６では、受け取ったパケットを添付された識別子によりグループごとに区別し、グループごとにラベル分配処理に基づいて処理する。ラベル分配処理に関するパケットには、ラベル交換パス設定要求のパケットと、ラベル交換パス設定のパケットがある。処理したパケットが、ラベル交換パス設定要求のパケットで、かつ要求されたラベル交換パスが特定の転送条件を要求している場合、ラベル分配処理部７６はラベル交換パスの転送条件をネットワーク資源管理部７５およびネットワークポリシー管理部７７に転送する。
【００１７】
（ネットワーク資源管理部）
ネットワーク資源管理部７５は、ラベル交換パスの転送条件をネットワークシステムが満たせるか否かを判断し、満たせると判断した場合にはそのラベル交換パス用の転送資源を予約し、満たせると判断した場合、および満たせないと判断した場合ともに、ラベル分配処理部７６にその判断結果を伝達する。
【００１８】
（ネットワークポリシー管理部）
ネットワークポリシー管理部７７は、ラベル交換パスの転送条件をラベル交換網間の接続契約等が満たせるか否かを判断し、ラベル分配処理部７６にその判断結果を伝達する。
【００１９】
ラベル分配処理部７６は、ネットワーク資源管理部７６およびネットワークポリシー管理部７７がラベル交換パスの設定を了承した場合、または特定の転送条件が要求されておらず、ネットワーク資源管理部７５およびネットワークポリシー管理部７７にラベル交換パスの転送条件を転送しなかった場合、宛先を次のホップのラベル交換装置とするラベル分配プロトコルに関するパケットを、グループ識別子を添付してデータ送受信部７４に転送する。データ送受信部７４は、転送されてきたパケットを、宛先とグループ識別子から適切なラベル交換装置に転送する。
【００２０】
ラベル分配処理部７６でラベル分配処理に基づき処理されたパケットが、ラベル交換パス設定のパケットの場合、ラベル分配処理部７６はラベル転送処理情報を作成する。これにより作成されたラベル転送処理情報を、ラベル分配処理部７６は、データ送受信部７４にグループを示す識別子とともに転送する。データ送受信部７４は、転送されてきたグループを示す識別子に対応するラベル転送処理情報表７８Ａ，７８Ｂ、・・・にラベル転送処理情報を設定する。
【００２１】
ネットワークシステム５６内のデータ送受信部７４がラベル付きパケットを受信すると、データ送受信部７４は保持しているグループ情報表７３から、それが属するグループ識別子を読み出し、これに対応するラベル転送処理情報表７８を参照して、そこで得られる転送先へラベル付きパケットを転送する。
以上の動作により、各グループのラベル転送処理情報表は相互に干渉することなく、ラベル交換パスの設定およびラベル交換を行うことができる。
【００２２】
公衆網を専用網の如く使用できるＶＰＮにおいて、本発明のように、ＶＰＮ相互間を干渉なしに交換接続することができるようにした接続用ネットワークを、新しいビジネスモデルとして構築することができる。すなわち、複数のラベル交換網を相互接続するネットワークシステムが、各ラベル交換網が該ネットワークシステムを介してパケット配送する毎、もしくはラベル交換パスを設定する毎に、送信側または受信側のラベル交換網の加入者に対してパケット転送量、ラベル交換パスの設定数、設定したラベル交換パスの転送条件などを基準として通信料を請求することができる。
【００２３】
本発明においてラベル交換網という用語を用いているが、これは具体的には、ＭＰＬＳ、ＡＴＭ、ＦＲ等のネットワークを想定して、ラベル交換により情報を転送するネットワークである。
本発明は、全体としてのラベル交換網間の相互接続方式とネットワークシステムについてが、特許の範囲であって、その詳細内容、グループ情報表７３、ネットワーク資源管理部７５、ネットワークポリシー管理部７７の詳細については、既存の技術を転用しているので、詳細説明は省略する。
【００２４】
【発明の効果】
以上説明したように、本発明によれば、一つのネットワークにより、複数のグループに属する複数のラベル交換網を相互に接続し、グループ間での相互干渉なしに、接続するラベル交換網間でラベル交換パスを設定可能であり、かつ接続する網を頂点とするスター型のラベル網間の接続が可能である。
【図面の簡単な説明】
【図１】本発明の一実施例を示すラベル交換網間接続方式を備えたネットワークシステムの構成図である。
【図２】本発明の一実施例を示すラベル交換網間接続方式の構成図である。
【図３】従来における専用線を用いたラベル交換網間接続方式の構成図である。
【図４】従来におけるＩＰ−ＶＰＮ網を用いたラベル交換網間接続方式の構成図である。
【図５】従来におけるラベル交換網を用いたラベル交換網間接続方式の構成図である。
【符号の説明】
１，２…専用線、１９…ＩＰ−ＶＰＮ、５６…ネットワークシステム、
３〜８，２０〜２５，３８〜４５，５７〜６２…ラベル交換網、
９〜１４，２６〜３１，４６〜５１，６３〜６８…ラベル交換装置、
１５，１６、３２〜３５、５２，５３、６９，７０…ラベル交換パス、
１７，１８、３６，３７、５４，５５、７１，７２…グループ、
７３…グループ情報表、７４…データ送受信部、
７５…ネットワーク資源管理部、７６…ラベル分配処理部、
７７…ネットワークポリシー管理部、７８…ラベル転送処理情報表。
【図１】
0003736367.tif 000002
【図２】
0003736367.tif 000003
【図３】
0003736367.tif 000004
【図４】
0003736367.tif 000005
【図５】
0003736367.tif 000006